(57)【特許請求の範囲】
【請求項１】
互いに前後方向に離間して並行に設けられた１対の第一杆材の対向面間に、第二杆材を架設するための杆材の連結構造であって、
後面が第一杆材の対向面に左右方向に位置変更可能に取付けられた第一係止部材の前面と、この前面に対向して配置される第二杆材の後端面とのいずれか一方に、内方に向って凹入する上下方向を向くガイド溝を設けるとともに、他方に、前記ガイド溝内に上下いずれかの方向から係合可能な係合突部を設け、かつガイド溝に上下いずれかの方向から係合突部を係止させた状態において、第一係止部材に設けた前後に長寸の長孔を介して挿通される取付ボルトを、第二杆材に設けた螺合孔に螺合させることにより、第一杆材の対向面と第二杆材の後端面との前後間の間隔を調整可能として連結したことを特徴とする杆材の連結構造。
【請求項２】
互いに前後方向に離間して並行に設けられた１対の第一杆材の対向面間に、第二杆材を架設するための杆材の連結構造であって、
後面が第一杆材の対向面に左右方向に位置変更可能に取付けられた第一係止部材の前面と、前面が第二杆材の後端面に取付けられた第二係止部材の後面とを互いに対向させて、第一係止部材の前面と第二係止部材の後面とのいずれか一方に、内方に向って凹入する上下方向を向くガイド溝を設けるとともに、他方に、前記ガイド溝内に上下いずれかの方向から係合可能な係合突部を設け、かつガイド溝に上下いずれかの方向から係合突部を係止させた状態において、第一係止部材に設けた前後に長寸の長孔を介して挿通される取付ボルトを、第二係止部材に設けた螺合孔に螺合させることにより、第一杆材の対向面と第二杆材の後端面との前後間の間隔を調整可能として連結したことを特徴とする杆材の連結構造。
【請求項３】
第一係止部材の下部に、第二係止部材側に向けて突出する支持部を設け、この支持部に、上下方向に貫通させて前後に長寸の長孔を設けるとともに、第二係止部材の下端に螺合孔を設け、かつ前記支持部の上面に、前記第二係止部材の下端を載置しうるようにして、前記長孔を介して支持部の下方から上方に向けて挿通される下側取付ボルトを、前記螺合孔に螺合させた請求項２記載の杆材の連結構造。
【請求項４】
第一係止部材と第二係止部材との間に、前後方向に突出量が調整可能な調整部材を設けるとともに、この調整部材の突出量の変化に応じて、ガイド溝と係合突部との間における前後方向の係合寸法を調整可能とした請求項２または３記載の杆材の連結構造。
【請求項５】
第一係止部材と第二係止部材との間における上部のいずれか一方に、螺合孔を設け、かつ他方に通孔を設けるとともに、この通孔を介して上側取付ボルトを前記螺合孔に向けて斜めに傾斜させた状態をもって螺合させることにより、第一係止部材と第二係止部材との上部を連結した請求項２〜４のいずれかに記載の杆材の連結構造。
【請求項６】
第一係止部材の前面と第二係止部材の後面とのいずれか一方にそれぞれ設けられるガイド溝と係合突部とを、左右に２条形成するとともに、前記左右のガイド溝間に取付ボルトを配設した請求項２〜５のいずれかに記載の杆材の連結構造。
【請求項７】
床面から前後左右に離間して立設された支柱間を連結する並行に配設された第一杆材と、この第一杆材の対向面間に架設された第二杆材とを備える執務空間構成什器における両杆材の連結手段としての請求項１〜６のいずれかに記載の杆材の連結構造。
【発明の詳細な説明】
【技術分野】
【０００１】
本発明は、例えばオフィス等にて使用され、使用者に対して執務空間を提供する執務空間構成什器などにおける杆材の連結構造に関する。
【背景技術】
【０００２】
オフィス等の執務空間においては、一般にデスク・テーブル等の複数の執務用什器を床面上に適宜、組み合わせて配置することにより、使用者の要望に応じた執務空間が構成されている。こうした複数の執務用什器の組み合わせ配置の形態としては、什器を簡易的かつ安価でありながら強固なものとするために、複数の杆材同士を互いに連結して、基本枠体を構成し、この基本枠体を、床面から立設された複数本の支柱をもって支持することによって組付けられている。
【０００３】
これらの空間構成用什器における基本枠体の補強形態としては、互いに並行する１対の杆材の対向面間に、他の杆材を連結して架設することにより補強することがある。この場合の杆材同士の連結方法としては、互いに並行する１対の杆材の対向面と他の杆材の端部とを取付ボルトを用いて螺着することが一般的となっている（特許文献１参照）。
【０００４】
また、空間構成用什器としての什器構成や用途の自由度を高めるためには、互いに並行する１対の杆材の対向面間における任意の位置に、他の杆材の取付位置を容易に変更可能とされていることが望ましい。
このような要望を実現するために、例えば１対の杆材の対向面に、長手方向に沿う係合溝を形成するとともに、この係合溝に、他の杆材の端部に取付けられた係止ブラケットを係止させることによって、１対の杆材の対向面における任意の位置に他の杆材を取付け可能としたものが知られている（特許文献２参照）。
【０００５】
しかし、前記各特許文献に記載のいずれの方法においても、互いに並行する１対の杆材の対向面間の距離が、設置場所や、杆材自体の加工精度、あるいは他の部材、例えば支柱との組立時の寸法誤差などのさまざまな条件によって、所望の寸法から外れる場合や、杆材の対向面同士の並行状態が定まっていない場合には、これらの条件に適応して、杆材の対向面間に他の杆材を取付けることができなかった。
そのため、１対の杆材の対向面間に他の杆材を取付ける際には、什器の加工精度、および組立施工作業によって、前記の条件を解消する必要があり、これにより、加工工数、加工コストが増大するばかりでなく、組立施工作業に要する時間も長くなり、組立施工性に劣るという問題があった。
【先行技術文献】
【特許文献】
【０００６】
【特許文献１】特開２００２−１３８６０８号公報
【特許文献２】特開２００９−０９１８９６号公報
【発明の概要】
【発明が解決しようとする課題】
【０００７】
本発明は、前記の現状に鑑み、加工工数、加工コストを低減することができるとともに、組立施工性を良好にすることができる執務空間構成什器における杆材の連結構造を提供することを課題とする。
【課題を解決するための手段】
【０００８】
前記課題は、「特許請求の範囲」の各請求項に記載するように、次のような構成からなる発明によって解決される。
（１）互いに前後方向に離間して並行に設けられた１対の第一杆材の対向面間に、第二杆材を架設するための杆材の連結構造であって、後面が第一杆材の対向面に左右方向に位置変更可能に取付けられた第一係止部材の前面と、この前面に対向して配置される第二杆材の後端面とのいずれか一方に、内方に向って凹入する上下方向を向くガイド溝を設けるとともに、他方に、前記ガイド溝内に上下いずれかの方向から係合可能な係合突部を設け、かつガイド溝に上下いずれかの方向から係合突部を係止させた状態において、第一係止部材に設けた前後に長寸の長孔を介して挿通される取付ボルトを、第二杆材に設けた螺合孔に螺合させることにより、第一杆材の対向面と第二杆材の後端面との前後間の間隔を調整可能として連結する。
【０００９】
（２）互いに前後方向に離間して並行に設けられた１対の第一杆材の対向面間に、第二杆材を架設するための杆材の連結構造であって、後面が第一杆材の対向面に左右方向に位置変更可能に取付けられた第一係止部材の前面と、前面が第二杆材の後端面に取付けられた第二係止部材の後面とを互いに対向させて、第一係止部材の前面と第二係止部材の後面とのいずれか一方に、内方に向って凹入する上下方向を向くガイド溝を設けるとともに、他方に、前記ガイド溝内に上下いずれかの方向から係合可能な係合突部を設け、かつガイド溝に上下いずれかの方向から係合突部を係止させた状態において、第一係止部材に設けた前後に長寸の長孔を介して挿通される取付ボルトを、第二係止部材に設けた螺合孔に螺合させることにより、第一杆材の対向面と第二杆材の後端面との前後間の間隔を調整可能として連結する。
【００１０】
（３）上記（２）項において、第一係止部材の下部に、第二係止部材側に向けて突出する支持部を設け、この支持部に、上下方向に貫通させて前後に長寸の長孔を設けるとともに、第二係止部材の下端に螺合孔を設け、かつ前記支持部の上面に、前記第二係止部材の下端を載置しうるようにして、前記長孔を介して支持部の下方から上方に向けて挿通される下側取付ボルトを、前記螺合孔に螺合させる。
【００１１】
（４）上記（２）項または（３）項において、第一係止部材と第二係止部材との間に、前後方向に突出量が調整可能な調整部材を設けるとともに、この調整部材の突出量の変化に応じて、ガイド溝と係合突部との間における前後方向の係合寸法を調整可能とする。
【００１２】
（５）上記（２）項〜（４）項のいずれかにおいて、第一係止部材と第二係止部材との間における上部のいずれか一方に、螺合孔を設け、かつ他方に通孔を設けるとともに、この通孔を介して上側取付ボルトを前記螺合孔に向けて斜めに傾斜させた状態をもって螺合させることにより、第一係止部材と第二係止部材との上部を連結する。
【００１３】
（６）上記（２）項〜（５）項のいずれかにおいて、第一係止部材の前面と第二係止部材の後面とのいずれか一方にそれぞれ設けられるガイド溝と係合突部とを、左右に２条形成するとともに、前記左右のガイド溝間に取付ボルトを配設する。
【００１４】
（７）上記（１）項〜（６）項のいずれかにおいて、床面から前後左右に離間して立設された支柱間を連結する並行に配設された第一杆材と、この第一杆材の対向面間に架設された第二杆材とを備える執務空間構成什器における両杆材の連結手段とする。
【発明の効果】
【００１５】
本発明によると、次のような効果が奏せられる。
請求項１記載の発明によれば、後面が第一杆材の対向面に左右方向に位置変更可能に取付けられた第一係止部材の前面と、この前面に対向して配置される第二杆材の後端面とのいずれか一方に、内方に向って凹入する上下方向を向くガイド溝を設けるとともに、他方に、ガイド溝内に上下いずれかの方向から係合可能な係合突部を設け、かつガイド溝に上下いずれかの方向から係合突部を係止させた状態において、第一係止部材に設けた前後に長寸の長孔を介して挿通される取付ボルトを、第二杆材に設けた螺合孔に螺合させることにより、第一杆材の対向面と第二杆材の後端面との前後間の間隔を調整可能として連結しているため、加工精度を必要とせずに、杆材同士を連結して組立施工することができ、加工工数、加工コストを低減することができる。また、第一杆材の対向面と第二杆材の端面と前後間の間隔が調整可能となるようにしてあるため、組立施工性を良好にすることができる。さらに、ガイド溝と係合突部とを係合させて係止させた状態において、杆材同士を連結しているため、杆材同士間に隙間が発生することがなく、連結部の体裁も良好にすることができる。
【００１６】
請求項２記載の発明によれば、後面が第一杆材の対向面に左右方向に位置変更可能に取付けられた第一係止部材の前面と、前面が第二杆材の後端面に取付けられた第二係止部材の後面とを互いに対向させて、第一係止部材の前面と第二係止部材の後面とのいずれか一方に、内方に向って凹入する上下方向を向くガイド溝を設けるとともに、他方に、ガイド溝内に上下いずれかの方向から係合可能な係合突部を設け、かつガイド溝に上下いずれかの方向から係合突部を係止させた状態において、第一係止部材に設けた前後に長寸の長孔を介して挿通される取付ボルトを、第二係止部材に設けた螺合孔に螺合させることにより、第一杆材の対向面と第二杆材の後端面との前後間の間隔を調整可能として連結してあるため、前記請求項１と同様の効果を奏することができるとともに、第一杆材と第二杆材との係合を、より円滑に行うことができる。
【００１７】
請求項３記載の発明によれば、第一係止部材の下部に、第二係止部材側に向けて突出する支持部を設け、この支持部に、上下方向に貫通させて前後に長寸の長孔を設けるとともに、第二係止部材の下端に螺合孔を設けて、長孔を介して支持部の下方から上方に向けて挿通される取付ボルトを、螺合孔に螺合させてあるため、各杆材の取付位置を前後に調整可能しながらも、杆材同士を確実に連結することができる。また、取付ボルトを螺合させていなくとも、第一係止部材の下部における支持部の上面に、第二係止部材の下端が載置されるようにして、第一杆材に第二杆材を支持させてあるため、施工性を良好に保つことができる。
【００１８】
請求項４記載の発明によれば、第一係止部材と第二係止部材との間に、前後方向に突出量が調整可能な調整部材を設けるとともに、この調整部材の突出量の変化に応じて、第一係止部材のガイド溝と第二係止部材の係合突部との間における前後方向の係合寸法を調整可能としてあるため、各杆材の取付位置に誤差が発生した場合においても、連結部を確実にかつ体裁良好に連結することができる。
【００１９】
請求項５記載の発明によれば、第一係止部材と第二係止部材との間における上部のいずれか一方に、螺合孔を設け、かつ他方に通孔を設けるとともに、この通孔を介して取付ボルトを螺合孔に向けて斜めに傾斜させた状態をもって螺合させることにより、第一係止部材と第二係止部材との上部を連結してあるため、杆材同士の連結上部に、前後方向の締結力と相俟って、上下方向に相対的に引き合う引張力が生じ、杆材同士を強固に連結することができる。
【００２０】
請求項６記載の発明によれば、第一係止部材の前面と第二係止部材の後面とのいずれか一方にそれぞれ設けられるガイド溝と係合突部とを、左右に２条形成するとともに、左右のガイド溝間に取付ボルトを配設してあるため、第二杆材を、第一杆材に対して、より安定的に連結することができる。
【００２１】
請求項７記載の発明によれば、床面から前後左右に離間して立設された支柱間を連結する並行に配設された第一杆材と、この第一杆材の対向面間に架設された第二杆材とを備える両杆材の連結手段を、執務空間構成什器の組立施工に有効に利用することができる。
【図面の簡単な説明】
【００２２】
【図１】本発明の執務空間構成什器における杆材の連結構造の一実施形態を示す斜視図である。
【図２】図１における破線円Ａ部分の拡大斜視図である。
【図３】図２におけるIII−III線拡大縦断面図である。
【図４】杆材同士の連結態様を示す要部分解斜視図である。  発明の具体的な内容は、次の通りである。
【発明を実施するための形態】
【００２３】
図１は、本発明の一実施形態として執務空間構成什器における杆材の連結構造の一実施例を示す斜視図である。なお、図１において、左下から右上に向かって「前後方向Ｘ」とし、左上から右下に向かって「左右方向Ｙ」として説明する。
【００２４】
本実施形態における執務空間構成什器は、基本枠体１とベース什器２とより構成される。
基本枠体１は、床面から前後左右に離間させて立設された４本の支柱３と、これらのうち前後左右に対峙して配置された支柱３同士の上部間をそれぞれ連結するように、互いに前後左右に並行する４本の連結杆４と、これらのうち前後方向に離間して左右方向に互いに並行する１対の連結杆４における対向面４ａ間に架設された中間杆５とによって平面視方形に組付けられている。
【００２５】
図２は、図１における破線円Ａ部分の拡大斜視図、図３は、図２におけるIII−III線拡大縦断面図、図４は、杆材同士の連結態様を示す要部分解斜視図である。
【００２６】
図２から図４に示すように、第一杆材としての連結杆４と第二杆材としての中間杆５とは、それぞれ上下方向に長いほぼ矩形状の同一の端面形態を有するとともに、それらの内外両側面には、奥幅広状の係止溝条６，７が上下２段にそれぞれ長手方向に平行に設けられている。
係止溝条６，７における上下の開口縁部６ａ，７ａ間の開口寸法Ｈ2は、係止溝条６，７の奥幅寸法Ｈ1よりも狭幅な開口寸法（Ｈ1＞Ｈ2）を有する。
【００２７】
連結杆４と中間杆５とは、互いにＴ字形に直交しうるように、係止部材８を介して連結されている。
この係止部材８は、連結杆４に取付けられる第一係止部材９と、中間杆５に取付けられる第二係止部材１０とより構成されている。
【００２８】
第一係止部材９は、前面に内方、すなわち後方に向って凹入する上下方向を向くガイド溝１１が形成された平面視断面コ字形をなす直方体状の外郭形態を有し、このガイド溝１１内には、前後方向に貫通する上下１対の皿孔状をなす通孔１２が設けられている。
【００２９】
第一係止部材９における後面の左右両側縁部には、後方に向けて突出させた上下１対の係止片１３が設けられているとともに、これら係止片１３と前記通孔１２とは、それぞれ連結杆４の対向面４ａに上下２段に形成された係止溝条６に整合しうるようになっている。
【００３０】
第一係止部材９の下部には、前方に向けて突出するほぼ台形状をなす支持部１４が設けられているとともに、この支持部１４には、前後に長寸の長孔１５が上下方向に貫通して設けられている。
【００３１】
第一係止部材９の前面上部には、後方に向けて上向きに傾斜する傾斜面部１６が形成されているとともに、この傾斜面部１６には、後方に向けて下降傾斜した螺合孔１７が設けられている。
【００３２】
連結杆４と第一係止部材９の取付けは、次のようにして行われる。まず、連結杆４の対向面４ａに形成した上下の係止溝条６に、ねじ座１８を後屈みに傾斜させて、下方より上方に向け持上げるように潜らせて挿入し、左右方向に位置変更可能に装着する。
このねじ座１８は、平面視において後向きコ字状をなし、連結杆４の対向面４ａと垂直をなす左右１対の側片１８ａの上端部には、係止部１８ｂが上向きに突設されている。ねじ座１８の側片１８ａの上下寸法は、係止溝条６における開口縁部６ａの開口幅寸法Ｈ2と対比して短寸に、側片１８ａと係止部１８ｂを合わせた上下寸法は長寸にそれぞれ形成され、これにより、ねじ座１８の係止部１８ｂが係止溝条６における開口縁部６ａの上側内面に係止されるようになっている。
【００３３】
次いで、第一係止部材９における後端面の左右両側端縁に設けた上下一対の係止片１３を、連結杆４における対向面４ａの上下の係止溝条６にそれぞれ挿入係止させるとともに、ねじ座１８に、上下の通孔１２が整合しうるように当接し、これらの通孔１２に皿ねじ１９を前方から後方に向けて挿通して、ねじ座１８の螺合孔１８ｃに螺合させることによって、連結杆４の対向面４ａに第一係止部材９が左右方向に位置変更可能に取付けられる。
【００３４】
一方、第二係止部材１０は、中間杆５における後端面５ａの外郭形状とほぼ同一形状をなし、その後面には、左右に摺動溝２０を上下方向に沿って掘設することによって、後方に向け浮き出しうるように突設させた係合突部２１が設けられている。
【００３５】
係合突部２１には、前後方向に貫通した上下１対の通孔２２が設けられているとともに、その下部には、第一係止部材９の下部に設けた台形状をなす支持部１４の上面に上方から載置状態で嵌合可能にした切欠部２３が形成されている。切欠部２３の内側上面には、図３に示すように、上下方向の螺合孔２４が設けられている。
【００３６】
第二係止部材１０の前面上部には、図２に示すように、後方に向けて上向きに傾斜した傾斜面部２５が形成され、この傾斜面部２５には、後方に向けて下降傾斜する通孔２６が貫設されている。
この通孔２６は、後記する第一係止部材９と第二係止部材１０との係合状態において、第一係止部材９における上部の傾斜面部１６に設けた螺合孔１７に整合しうるようになっている。
【００３７】
中間杆５と第二係止部材１０の取付けは、次のようにして行われる。まず、中間杆５の後端面５ａに第二係止部材１０の前面を当接するとともに、第二係止部材１０の上下に設けた通孔２２と、中間杆５における後端面５ａに設けた上下一対の螺合孔２７とが整合しうるように位置決めして配置する。
【００３８】
次いで、ボルト２８を、第二係止部材１０の通孔２２に向けてワッシャ２９を介在して挿通し、中間杆５の螺合孔２７に螺合させることによって、中間杆５の後端面５ａに第二係止部材１０が取付けられる。
【００３９】
次に、左右方向に並行する前後１対の連結杆４の対向面４ａ間に中間杆５を連結する手順を説明する。なお、以下の説明では、後方に位置する連結杆４と中間杆５の後端部との連結を例にして説明するが、前方に位置する連結杆４と中間杆５の前端部との連結も同様であるため、その説明は省略する。
【００４０】
まず、中間杆５の後端面５ａに取付けた第二係止部材１０を、連結杆４の対向面４ａに取付けた第一係止部材９に係合させるに際し、第二係止部材１０の後面に突設した係合突部２１を、第一係止部材９の前面に形成したガイド溝１１に上方から下方に向けて嵌入する。このとき、第一係止部材９における左右の側片９ａは、第二係止部材１０における係合突部２１の左右に形成した摺動溝２０に係合させながら下方に向けて摺動させる。
第一係止部材９の前面下部に突設した支持部１４に、第二係止部材１０の後面における係合突部２１の下部に形成した切欠部２３を載置状態でもって嵌合させ、支持部１４に設けた長孔１５と切欠部２３に設けた螺合孔２４とが整合しうるように、第二係止部材１０を、第一係止部材９に対して外嵌状態をもって係合させる。
【００４１】
このような第一係止部材９と第二係止部材１０との係合状態において、連結杆４と中間杆５における下部の連結は、第一係止部材９における支持部１４の長孔１５に、下側取付ボルト３０を、ワッシャ３１を介在して、下方から上方に向けて挿通し、この下側取付ボルト３０を、前記螺合孔２４に半締め状態をもって螺合させることにより、前後に長寸の長孔１５の前後幅を利用して、連結杆４と中間杆５の前後方向の位置決め調整を行った後、下側取付ボルト３０を本締めすることにより行うことができる。
【００４２】
一方、連結杆４と中間杆５における上部の連結は、第一係止部材９の傾斜面部１６に設けた螺合部１７と第二係止部材１０の傾斜面部２５に設けた通孔２６とを整合させるとともに、上側取付ボルト３２を、前記通孔２６に向けて後方からワッシャ３３を介在して挿通し、前記螺合部１７に螺合させることにより行うことができる。
【００４３】
この場合、連結杆４と中間杆５の前後方向の位置決め調整を行うには、第二係止部材１０の傾斜面部２５に、後方に向けて斜め下方に傾斜する螺合部３４を貫設し、この螺合部３４に、調整ねじ３５を螺合させて、この調整ねじ３５の先端が、第一係止部材９の傾斜面部１６に当接しうるようにする。
これにより、調整ねじ３５の突出量の変化に応じて、第一係止部材９のガイド溝１１と第二係止部材１０の係合突部２１との間における前後方向の係合寸法Ｌを調整することにより、連結杆４と中間杆５の前後方向の位置決め調整を行うことができる。この調整により、連結杆４の対向面４ａと中間材５の後端面５ａとの前後間の間隔が調整可能となるように連結することができる。
【００４４】
なお、上記の実施形態において、連結杆４と中間杆５の組立後、それらの上端面は、図示しないカバー部材によって覆われるようになっている。
また、ガイド溝１１を第一係止部材９の前面に、係合突部２１を第二係止部材１０の後面にそれぞれ設けて、第二係止部材１０を、第一係止部材９に対して上方から係合させることにより、係合突部２１をガイド溝１１に係止しうるようにしたが、これには限定されず、ガイド溝１１を第二係止部材１０の後面に、係合突部２１を第一係止部材９の前面にそれぞれ設けて、第二係止部材１０を、第一係止部材９に対して下方から係合させるようにしても良い。
さらに、ガイド溝１１と係合突部２１とは、第一係止部材９または第二係止部材１０における左右方向の中央部に１条形成したが、左右に２条形成するとともに、これら左右のガイド溝１１，１１間に取付ボルト３０が配設されるようにしても良い。
【符号の説明】
【００４５】
１    基本枠体
２    ベース什器
３    支柱
４    連結杆（第一杆材）
４ａ  対向面
５    中間杆（第二杆材）
５ａ  後端面
６    係止溝条
６ａ  開口縁部
７    係止溝条
７ａ  開口縁部
８    係止部材
９    第一係止部材
９ａ  側片
１０  第二係止部材
１１  ガイド溝
１２  通孔
１３  係止片
１４  支持部
１５  長孔
１６  傾斜面部
１７  螺合孔
１８  ねじ座
１８ａ  側片
１８ｂ  係止部
１８ｃ  螺合孔
１９  皿ねじ
２０  摺動溝
２１  係合突部
２２  通孔
２３  切欠部
２４  螺合孔
２５  傾斜面部
２６  通孔
２７  螺合孔
２８  ボルト
２９  ワッシャ
３０  下側取付ボルト
３１  ワッシャ
３２  上側取付ボルト
３３  ワッシャ
３４  螺合部
３５  調整ねじ（調整部材）
Ｘ    前後方向
Ｙ    左右方向
【図１】
0005443183.tif 000002
【図２】
0005443183.tif 000003
【図３】
0005443183.tif 000004
【図４】
0005443183.tif 000005